(57)【要約】      （修正有）【課題】アウターウェアの下に着用しても、袖部が着膨れ状態にならず、また、一着のインナーウェアで二着分のインナーウェアとして利用できるインナーウェアを提供する。【解決手段】前開きでノースリーブの上衣状の本体部と少なくとも本体部の襟に取付けた毛皮部とを備え、前開きアウターウェアの下に着用し、毛皮部をアウターウェアの少なくとも襟の外部に露出させて、前開きアウターウェアを毛皮部で飾り、また、前開きの形態の袖を有する上衣状の本体部と、本体部の少なくとも襟に取り付けた毛皮部とを備えると共に、本体部は表裏で異なる模様、色彩などが施され、かつ毛皮部は本体部の表裏に合わせた異なる毛皮部に形成されて成り、アウターウェアの下に表又は裏で着用したインナーウェアの少なくとも襟部をアウターウェアの襟外部に露出させることにより、前開きアウターウェアをインナーウェアの少なくとも襟部で飾るようにした。【選択図】図３
0003130748.tif 000002
【実用新案登録請求の範囲】
【請求項１】
前開きでノースリーブの上衣状の本体部と、少なくとも本体部の襟に取付けた毛皮部とを備えて成り、前開きアウターウェアの下に着用し、前記毛皮部を当該アウターウェアの少なくとも襟の外部に露出させることにより、前開きアウターウェアを前記毛皮部で飾るようにしたことを特徴とするインナーウェア。
【請求項２】
上衣状本体部は、丈が短かいベスト状，丈が長いベスト状，ロングコート丈のベスト状のいずれかの形態に形成された請求項１のインナーウェア。
【請求項３】
毛皮部が、本体部の襟から裾にかけて形成され、アウターウェアの襟から裾にかけて外部に露出される請求項１又は請求項２に記載のインナーウェア。
【請求項４】
上衣状本体部がリバーシブル着用可能に形成された請求項１〜請求項３のいずれかの請求項に記載のインナーウェア。
【請求項５】
リバーシブルな上衣状本体部は、毛皮部を少なくとも襟部の一面に形成すると共に、該襟部の他面は非毛皮部に形成した請求項４に記載のインナーウェア。
【請求項６】
前開きの形態の袖を有する上衣状の本体部と、該本体部の少なくとも襟に取り付けた毛皮部とを備えると共に、前記本体部は表裏で異なる模様、色彩などが施され、かつ前記毛皮部は本体部の表裏に合わせた異なる毛皮部に形成されて成り、アウターウェアの下に表又は裏で着用したインナーウェアの少なくとも襟部をアウターウェアの襟外部に露出させることにより、前開きアウターウェアをインナーウェアの少なくとも前記襟部で飾るようにしたことを特徴とするインナーウェア。
【請求項７】
少なくとも襟部が一面に毛皮部を備えると共に、他面が非毛皮部に形成され、前記毛皮部又は非毛皮部をアウターウェアの襟の外部に露出させることにより、前開きアウターウェアを前記毛皮部又は非毛皮部で飾るようにした請求項６に記載のインナーウェア。
【請求項８】
毛皮部と非毛皮部が襟部から裾にかけて形成され、前開きアウターウェアの襟部から裾にかけて外部に前記毛皮部又は非毛皮部を露出させるようにした請求項７に記載のインナーウェア。
【請求項９】
アウターウェアとしても着用できるように形成した請求項１〜請求項８のいずれかの請求項に記載のインナーウェア。
【考案の詳細な説明】
【技術分野】
【０００１】
本考案は、インナーウェア（内衣）に係わり、例えば、ベストのような袖のないノースリーブ状の前開きの形態を有し、前開きのアウターウェア（外衣又は上衣）の下に着て、アウターウェアを毛皮付き上衣のように装飾することができるインナーウェアに関する。
【背景技術】
【０００２】
例えば、寒期におけるパーティなどに参加するとき、防寒ジャケットやコートの下にドレスを着て、会場まで行き、ジャケットやコートを脱いでイベントに参加することがある。このような場合において、ドレスが無いときにはドレスを新調する必要があり、冬物コートやジャケットが無いときはそれも新調しなければならず、多大な出費となる。また、国外旅行するときなどにおいて、訪れる場所によっては季節が異なるために、異なる季節用のウェアを用意して目的や季節などに応じた衣服を揃えていかなければならないことがあると、ウェア類の荷物が増え、移動がかなり面倒である。
【０００３】
本考案者は上記のような現状に鑑み、季節や場所などに応じて、手持ちのアウターウェアを豪華な衣装として活用することができ、また、気温の低い季節や地域ではインナー又はアウターの防寒衣料として着用できるインナーウェアを提供、特許文献１により先に提案した。
【０００４】
さきに提案したインナーウェアは、薄手生地により、ジャンパー状、ジャケット状、あるいは、コート状に形成した上衣状の本体部と、襟から裾にかけて本体部に取付けた毛皮部とを備えて成り、前開きアウターウェアの下に着用し、前記毛皮部を当該アウターウェアの襟から裾にかけて外部に露出させることにより、前開きアウターウェアを毛皮部で飾るようにしたものである。
【０００５】
上記インナーウェアは、上衣状の本体部がジャケット状などのように袖を有するものであったため、例えば、冬物のアウターウェアの下に着用すると、着用した衣料の袖がいわゆる着膨れ状態となって嵩張り、着心地にやや難がある場合があった。
【０００６】
また、アウターウェアの装飾部として機能するように設けた毛皮部がインナーウェアの
一面（表側）にしか設けられていないため、雰囲気や興趣の異なる毛皮部を演出したい場合には、毛皮部の体裁、色彩、毛質などが異なるように形成された別のインナーウェアを用意しなければならなかった。
【特許文献１】実用新案登録第３１２０５８６号
【考案の開示】
【考案が解決しようとする課題】
【０００７】
そこで本考案は、先に提案したインナーウェアを改善し、アウターウェアの下に着用しても、袖部が着膨れ状態にならず、また、一着のインナーウェアで二着分のインナーウェアとして利用できるインナーウェアを提供することを、その課題とする。
【課題を解決するための手段】
【０００８】
上記課題を解決することを目的としてなされた本考案インナーウェアの一の構成は、前開きでノースリーブの上衣状の本体部と、少なくとも本体部の襟に取付けた毛皮部とを備えて成り、前開きアウターウェアの下に着用し、前記毛皮部を当該アウターウェアの少なくとも襟の外部に露出させることにより、前開きアウターウェアを前記毛皮部で飾るようにしたことを特徴とするものである。
【０００９】
また、上記課題を解決することを目的としてなされた本考案インナーウェアの他の構成は、前開きの形態の袖を有する上衣状の本体部と、該本体部の少なくとも襟に取り付けた毛皮部とを備えると共に、前記本体部は表裏で異なる模様、色彩などが施され、かつ前記毛皮部は本体部の表裏に合わせた異なる毛皮部に形成されて成り、アウターウェアの下に表又は裏で着用したインナーウェアの少なくとも襟部をアウターウェアの襟外部に露出させることにより、前開きアウターウェアをインナーウェアの少なくとも前記襟部で飾るようにしたことを特徴するものである。
【考案の効果】
【００１０】
本考案のインナーウェアは、前開きでノースリーブの上衣状の本体部と、少なくとも本体部の襟に取付けた毛皮部とを備えて成り、前開きアウターウェアの下に着用し、前記毛皮部を当該アウターウェアの少なくとも襟の外部に露出させることにより、前開きアウターウェアを前記毛皮部で飾るようにしたので、着用する時や場所などに応じて、手持ちのアウターウェアを豪華な衣装としてインナーウェアを活用することができる。また、アウターウェアと重ねて着ても、インナーウェアに袖がないので、インナーウェアとアウターウェアを重ね着しても、袖部が嵩張って着心地が悪くならず、さらに、気温の低い季節にコートなどの防寒衣を羽織らなくても、防寒作用が得られる。
【００１１】
また、本考案のインナーウェアは、前開きの形態の袖を有する上衣状の本体部と、該本体部の少なくとも襟に取り付けた毛皮部とを備えると共に、前記本体部は表裏で異なる模様、色彩などが施され、かつ前記毛皮部は本体部の表裏に合わせた異なる毛皮部に形成されて成り、アウターウェアの下に表又は裏で着用したインナーウェアの少なくとも襟部をアウターウェアの襟外部に露出させることにより、前開きアウターウェアをインナーウェアの少なくとも前記襟部で飾るようにしたので、着用する時や場所などに応じて、手持ちのアウターウェアを豪華な衣装として活用することができる。また、アウターウェアの下に重ねて着るので、気温の低い季節にコートなどの防寒衣を羽おらなくても、防寒作用が得られる。特に、本考案インナーウェアは、アウターウェアとしての着用、あるいは、リバーシブルな着用ができるので、さらに多くの服装バリーエーションを得ることができる。
【考案を実施するための最良の形態】
【００１２】
次に、添付図を参照して本考案インナーウェアの実施の形態例について説明する。添付図において、図１は本考案インナーウェアの一例の正面図、図２は図１に示す本考案インナーウェアを下に着用するアウターウェアの一例を示す正面図、図３は図１の本考案インナーウェアを図２に示すアウターウェアの下に着用して両ウェアのコーディネート状態を示す正面図、図４は本考案インナーウェアの他の例の正面図、図５は図４に示す本考案インナーウェアを下に着用するアウターウェアの一例を示す正面図、図６は図４の本考案インナーウェアを図５に示すアウターウェアの下に着用して両ウェアのコーディネート状態を示す正面図、図７は本考案インナーウェアのさらに他の例の正面図、図８は図７の本考案インナーウェアを図５に示すアウターウェアの下に着用して両ウェアのコーディネート状態を示す正面図、図９は本考案インナーウェアのさらに他の例の正面図、図１０は図９に示す本考案インナーウェアをリバーシブル着用できるように形成した例の正面図、図１１は図９の本考案インナーウェアの表側をアウターウェアとして着用した状態の一例を示す正面図、図１２は図９の本考案インナーウェアの裏側をアウターウェアとして着用した状態の一例を示す正面図である。
【００１３】
図１において、本考案インナーウェアは全体を参照符号１０で示している。このインナーウェア１０はノースリーブ（袖なし）上衣状の本体部１１と毛皮部１２を備えている。
【００１４】
本体部１１は、例えば、後見頃、前身頃をもつ前開き形の短いベスト状のもので、薄手の生地、例えば、薄手のキルト中綿入り生地を縫製してつくられたものである。図１において、前身頃を参照符号１１ａによって示している。本考案における本体部１１の形態は、ベストのような袖のないノースリーブ状の前開きの形態であるが、その丈はロングコートやショートコート（又はロングベスト）に近い丈のいずれであってもよいが、図の例では前開きの長目の丈のベスト状である。
【００１５】
図１の例において、毛皮部１２は本体部１１の襟から前身頃の縁を通り裾の全周にかけて連続したパターンで配置されている。すなわち、前身頃１１ａと後見頃の上縁部によって形成される襟、両前身頃の対向する縁、前身頃と後身頃の連続した下縁（裾）にかけて本体部１１に縫い付けなどにより取付けられている。なお、毛皮部１２は、動物の天然毛皮や合成樹脂糸などによるフェイク毛皮（模造毛皮）などから形成されたものを用いる。
【００１６】
図１に例示した本考案インナーウェア１０は、例えばパーティなどの会場に行くとき、例えば図２に示すシルクの前開きのブラウス２０と一緒に着用される。ブラウス２０は、後見頃、左右の前身頃、袖、襟などで構成された本体部２１を備え、前身頃２２の左右の対向縁を、例えば雄側を片方の前身頃２２の対向縁２３の裏面に、雌側をもう片方の前身頃２２の対向縁表面に取付けたホックなどによって止めるように形成されている。
【００１７】
図１の本考案インナーウェア１０は、図３に示すように、そのインナーウェア１０を既製品のシルクブラウス２０の下に着用し、インナーウェア１０の毛皮部１２を上に着たシルクブラウス２０の襟から裾にかけて外に露出させることにより、シルクブラウス２０を毛皮によって装飾された豪華な衣装に変えることができる。この結果、アウターウェア（ブラウス２０）の下に本考案インナーウェア１０を重ねて着用する、つまり重ね着をすることになるので、冬期のように気温が低いときでも、冬物でないアウターウェアを毛皮付きアウターウェアとして着用でき、手持ちアウターウェアの選択範囲を拡げることができる。
【００１８】
また、インナーウェア１０がベスト状で袖を持たないので、アウターウェア（ブラウス２０）と重ね着しても、ブラウス２０の袖が着膨れ状態で嵩張らないから、着心地も良好である。
【００１９】
図４は本考案インナーウェアの他の例を示しており、図４の本考案インナーウェア１１０は、上衣状の本体部１１１及び毛皮部１１２を備えている。本体部１１１は、例えば、前身頃１１１ａおよび後見頃をもつノースリーブの前開き形ベスト状である。この例では、毛皮部１１２が、本体部１１１の襟にあたる部分のみに形成されている。
【００２０】
図５に示すショートコート１２０は、先に説明したブラウス２０の場合とほぼ同様に、左右の前身頃、後見頃、袖、襟などで構成され、前身頃の対向縁１２３をボタン１２４などにより止められるようになっている。
【００２１】
図４の本考案インナーウェア１１０は、図６に示すように、図５のショートコート１２０の下に、あるいは図５のセーター４０の上に着用し、その毛皮部１１２を上に着たショートコート１２０の襟の外に露出させることにより、豪華な毛皮付きのショートコートに早変わりさせることができる。即ち、本考案インナーウェア１１０の着用は、単にドレスアップ効果のみならず、通常の上衣をファー（毛皮）付きの防寒着としても利用できるように変化させることができる。また、インナーウェア１１０は、袖がないベスト状であるから、前記コート１２０と重ね着しても、コートの袖がゴワ付くことがない。
【００２２】
次に、身の丈を大きく形成した本考案インナーウェアを用いると、アウターにショートコートを着用していても、そのショートコートを毛皮付きの冬用のロングな服装に簡単に変えることができる。
【００２３】
すなわち、図７に示す本考案インナーウェア２１０は、丈を大きく形成したベスト状の本体部２１１と毛皮部２１２を備えている。本体部２１１は、例えば、膝下まである長さの前身頃２１１ａおよび後身頃をもつノースリーブの前開き形上衣状（ロングコート丈のベスト状）のものからなるので、前身頃２１１ａおよび後見頃は、膝まで達する長さ、あるいは、それより長い長さに形成されている。左右の前身頃２１１ａは、例えば、雄側を片方の前身頃２１１ａの対向縁裏面に、雌側をもう片方の前身頃２１１ａの対向縁表面に取付けたホックなどによって止めている。図７の毛皮部２１２は、図４〜図６に関連して説明した本考案インナーウェアの例と同様に、本体部２１１の襟にあたる部分のみに形成されているが、前身頃における前開き部位の上から中間部分まで毛皮部を形成してもよい（図示せず）。
【００２４】
また、図７の本考案インナーウェア２１０を適用するショートコート１２０は、図４乃至図６に関連して説明したものと同じもので、左右の前身頃、後見頃、袖、襟などで構成され、前身頃の対向縁１２３がボタン１２４により止められている。
【００２５】
このショートコート１２０の下に、（あるいはブラウスやセーター４０の上に、）図７の本考案インナーウェア２１０を着用し、その毛皮部２１２を上に着たショートコート１２０の襟の外に露出させることにより、図８に例示した態様の豪華な毛皮付きのショートコートに早変わりさせることができる。即ち、図７の本考案インナーウェア２１０の着用は、単にドレスアップ効果のみならず、通常の上衣を防寒着としても利用できるように変化させることができる。この場合においても、インナーウェア２１０には袖が無いから、重ね着したショートコート１２０の袖の着心地が悪くなることはない。
【００２６】
次に、本考案インナーウェアは、リバーシブルに形成することで、さらに変化をもたせることができるので、以下に説明する。
【００２７】
図９および図１０に例示する本考案インナーウェア３１０は、前述の例に関連して説明したように、前開き形上衣状の本体部３１１を備えているが、表裏のデザインを異なった態様に造形してリバーシブルに着用することができるようにしている。
【００２８】
すなわち、本考案インナーウェア３１０は、前身頃３１１ａおよび後身頃からなるノースリーブの上衣状、つまりベスト状の本体部３１１となっている。リバーシブルタイプの本考案インナーウェア３１０は、必要に応じて、本体部３１１は、二点鎖線で示すように、袖３１１ｂを備えたものであってもよい。ここで、本体部３１１は、二重の薄手の生地からなっており、図９に示す表面側生地が、図１０にその反対面となる裏面側生地に対して異なる色彩、模様などを施して形成されている、つまり、この例の本考案インナーウェアは表裏のデザインが異なるものとしてリバーシブルな着用を可能としている。
【００２９】
さらに、本体部３１１の表面の襟には、図９に示すように、天然レザーや合成樹脂などの人工レザーからなる襟状に形成された襟部３１５が縫い付けられ、前身頃３１１ａの両対向縁に沿って帯部３１６が縫い付けられている。従って、襟部３１５の表面は、ここではレザー素材そのまま、つまり、非毛皮部となっている。一方、襟部３１５の裏面には、図１０に示すように、本体部３１１’のデザインに合わせて、動物の天然毛皮や合成樹脂糸などによるフェイク毛皮（模造毛皮）などの毛皮部３１２ａを、そして、帯部３１６にも、動物の天然毛皮や合成樹脂糸などによるフェイク毛皮などの毛皮部３１２ｂを形成されている。なお、非毛皮部は、毛皮以外であれば、上記例のレザー素材以外のものであってもよい。
【００３０】
図９、図１０に例示したリバーシブル着用可能な本考案インナーウェアと組合せるアウターウェアは、図示していないが、前述した前開きアウターウェアである。
【００３１】
例えば、図１１に示すように、本考案インナーウェア３１０の表面側を表にして、セーター４０の上に本考案インナーウェア３１０を着用することによって、普段着からスポーティな服装外観に変えることができ、さらにこの本考案インナーウェア３１０の上から、例えば、襟無しのショートコートあるいは図５に示すショートコートを羽織ることで、外出着にも変えることができる。
【００３２】
また、図１２に示すように、本考案インナーウェア３１０を裏面側を表にして、セーター４０の上に着用することによって、フォーマルな雰囲気の服装に変えることができる。さらに、襟無しのショートコートあるいは図５に示すショートコートを羽織り、毛皮部３１２ａ,３１２ｂを着たショートコートの襟の外に露出させることで、パーティなどにそのまま参加することができる服装とすることができ、防寒着としても利用することができる。そして、図１２に二点鎖線で示すように、本体部３１１が袖３１１ｂを備えていると、コートを脱いでも、そのままパーティなどに参加することができる服装とすることができる。いずれの場合でも、袖の無いベストタイプの本考案インナーウェア３１０は、アウターウェアと重ね着したとき、アウターウェアの袖が着膨れ状態にならないので、着心地は良好である。
【産業上の利用可能性】
【００３３】
本考案のインナーウェアは以上の通りであって、手持ちのアウターウェアを豪華かつ新たな衣装として活かすことができ、着用するときや場所に応じたスタイルの上衣を手持ちのアウターウェアの中で自由に形成することができるので、着用場所などに応じた衣装を簡単に得ることができる。国外旅行に出て、国内とは季節の異なる国に行っても、少数の上衣を、着用するときと場所などに応じて多様にコーディネートされた複数種類の上衣に形成することができる。
【００３４】
本考案インナーウェアは、それ自体を単独でアウターウェアとして着用することもでき、また、その場合、図９〜図１２に示すようにリバーシブル着用可能に構成したものでは、袖のあるジャンパー状やジャケット状だけでなく、コート状の形態としてもよい。
【図面の簡単な説明】
【００３５】
【図１】本考案インナーウェアの一例の正面図。
【図２】図１に示す本考案インナーウェアを下に着用するアウターウェアの一例を示す正面図。
【図３】図１の本考案インナーウェアを図２に示すアウターウェアの下に着用して両ウェアのコーディネート状態を示す正面図。
【図４】本考案インナーウェアの他の例の正面図。
【図５】図４に示す本考案インナーウェアを下に着用するアウターウェアの一例を示す正面図。
【図６】図４の本考案インナーウェアを図５に示すアウターウェアの下に着用して両ウェアのコーディネート状態を示す正面図。
【図７】本考案インナーウェアのさらに他の例の正面図。
【図８】図７の本考案インナーウェアを図５に示すアウターウェアの下に着用して両ウェアのコーディネート状態を示す正面図。
【図９】本考案インナーウェアのさらに他の例の正面図。
【図１０】図９に示す本考案インナーウェアをリバーシブル着用できるように形成した例の正面図。
【図１１】図９の本考案インナーウェアの表側をアウターウェアとして着用した状態の一例を示す正面図。
【図１２】図９の本考案インナーウェアの裏側をアウターウェアとして着用した状態の一例を示す正面図。
【符号の説明】
【００３６】
１０    インナーウェア
１１    インナーウェアの本体部
１２    毛皮部
２０    アウターウェア（ブラウス）
２１    アウターウェアの本体部
２３    対向縁
４０    セーター
１１１    本体部
１１２    毛皮部
１２０    アウターウェア（ショートコート）
１２４    ボタン
２１０    インナーウェア
２１１    インナーウェアの本体部
２１２    毛皮部
３１０    インナーウェア
３１１    インナーウェアの本体部
３１１ａ  前身頃
３１１ｂ  袖
３１２ａ  毛皮部
３１２ｂ  毛皮部
３１５    襟部（非毛皮部）
【図１】
0003130748.tif 000003
【図２】
0003130748.tif 000004
【図３】
0003130748.tif 000005
【図４】
0003130748.tif 000006
【図５】
0003130748.tif 000007
【図６】
0003130748.tif 000008
【図７】
0003130748.tif 000009
【図８】
0003130748.tif 000010
【図９】
0003130748.tif 000011
【図１０】
0003130748.tif 000012
【図１１】
0003130748.tif 000013
【図１２】
0003130748.tif 000014